(57)【特許請求の範囲】
【請求項１】
後面側が開放されている本体と、
前記本体の後面側の開放部分から自身の後面側が露出するように前記本体内に搭載され、水平断面形状が略Ｌ形状の室外熱交換器と、
前記本体の前面外郭を構成する前面部と、前記室外熱交換器の一部と対向するように設けられ、前記本体の内外を連通する通風窓が形成された前記本体の側面外郭を構成する側面部とを有する外郭パネルと、
前記外郭パネルの前記側面部に対向するように設けられ、前記側面部の前記通風窓を覆う網目状の側面保護ネットと、
前記室外熱交換器の後面側に対向するように設けられ、前記本体の後面側の開放部分を覆う網目状の背面保護ネットと、
前記側面保護ネットの前側端部を保持する第１結束バンドと、
前記側面保護ネットの後側端部と、前記背面保護ネットのうち前記側面部側の端部とを保持する第２結束バンドとを有し、
前記第２結束バンドは、
一方側が前記側面保護ネットを通り、
他方側が前記背面保護ネットを通り、
一方側と他方側との間が、前記側面部のうちの後側端部に沿うように設けられている
ことを特徴とする空気調和装置の室外機。
【請求項２】
後面側が開放されている本体と、
前記本体の後面側の開放部分から自身の後面側が露出するように前記本体内に搭載され、水平断面形状が略Ｌ形状の室外熱交換器と、
前記本体の前面外郭を構成する前面部と、前記室外熱交換器の一部と対向するように設けられ、前記本体の内外を連通する通風窓が形成された前記本体の側面外郭を構成する側面部とを有する外郭パネルと、
前記外郭パネルの前記側面部に対向するように設けられ、前記側面部の前記通風窓を覆う網目状の側面保護ネットと、
前記室外熱交換器の後面側に対向するように設けられ、前記本体の後面側の開放部分を覆う網目状の背面保護ネットと、
前記側面保護ネットの前側端部を保持する第１結束バンドと、
前記側面保護ネットの後側端部と、前記背面保護ネットのうち前記側面部側の端部とを保持する第２結束バンドと、
前記側面部に固定され、前記側面保護ネットの後側端部を保持する第１固定手段と、
前記側面部に固定され、前記背面保護ネットのうち前記側面部側の端部を保持する第２固定手段とを有し、
前記室外熱交換器は、
前記本体の後面側の開放部分から自身の後面側が露出する背面側平面部と、当該背面側平面部に一方が接続され水平断面が円弧状であるラウンド部と、当該ラウンド部の他方に接続され、前記側面部に対向するように立設する側面側平面部とを有し、
前記外郭パネルは、
前記側面部に一方が接続され、前記ラウンド部と対向するように設けられる後面部とを有し、
前記第１固定手段は、
前記側面部を貫通し、当該側面部と前記ラウンド部との間に形成される空間側に、前記第１固定手段の一部が位置し、
前記第２固定手段は、
前記後面部を貫通し、当該後面部と前記ラウンド部との間に形成される空間側に、前記第２固定手段の一部が位置している
ことを特徴とする空気調和装置の室外機。
【請求項３】
後面側が開放されている本体と、
前記本体の後面側の開放部分から自身の後面側が露出するように前記本体内に搭載され、水平断面形状が略Ｌ形状の室外熱交換器と、
前記本体の前面外郭を構成する前面部と、前記室外熱交換器の一部と対向するように設けられ、前記本体の内外を連通する通風窓が形成された前記本体の側面外郭を構成する側面部とを有する外郭パネルと、
前記外郭パネルの前記側面部に対向するように設けられ、前記側面部の前記通風窓を覆う網目状の側面保護ネットと、
前記室外熱交換器の後面側に対向するように設けられ、前記本体の後面側の開放部分を覆う網目状の背面保護ネットと、
前記側面保護ネットの前側端部を保持する第１結束バンドと、
前記側面保護ネットの後側端部と、前記背面保護ネットのうち前記側面部側の端部とを保持する第２結束バンドとを有し、
前記側面保護ネットは、
前面側端部及び後側端部には、端面を保護するサイドカバーが設けられ、
前記背面保護ネットは、
前記背面保護ネットのうち前記側面部側の端部及び当該端部とは反対側の端部には、端面を覆うサイドカバーが設けられており、
前記側面保護ネットの前記サイドカバーには、
前記第１結束バンドを通す開口部が形成されるとともに、
前記外郭パネルの前記前面部には、格子状のファンガードが設けられ、
前記第１結束バンドは、
前記開口部及び前記ファンガードの格子の間を通って輪っか状とされて、前記側面保護ネットを保持している
ことを特徴とする空気調和装置の室外機。
【請求項４】
前記側面部に対向する側の前記本体の側面側に設けられる側面パネルを有し、
前記背面保護ネットは、
前記第２結束バンドに固定されている側とは反対側の端部が、前記側面パネルに固定されている
ことを特徴とする請求項１〜３のいずれか一項に記載の空気調和装置の室外機。
【請求項５】
請求項１〜４のいずれか一項に記載の前記空気調和装置の室外機と、室内機とを備えた
ことを特徴とする空気調和装置。
【発明の詳細な説明】
【技術分野】
【０００１】
本発明は、空気調和装置の室外機及びそれを備えた空気調和装置に関するものである。
【背景技術】
【０００２】
従来の空気調和装置には、本体の背面側を開放状態にし、その内側に設けられた室外熱交換器の背面を複数の縦桟と横桟とからなる格子状の保護網で保護したものが提案されている（たとえば、特許文献１参照）。
【０００３】
また、従来の空気調和装置には、Ｌ字形状の熱交換器の曲面コーナー部の外側に、この曲面コーナー部に沿った形状をした保護手段を設けたものが提案されている（たとえば、特許文献２参照）。
特許文献２に記載の技術は、保護手段により、室外機を運搬する際に室外機外郭などが変形することを抑制することが可能となっている。また、特許文献２に記載の技術は、保護手段に複数の通風窓が形成されており、熱交換器を露出させている。
【先行技術文献】
【特許文献】
【０００４】
【特許文献１】特開平８−２２６６７２号公報（たとえば、要約及び図１参照）
【特許文献２】特開２００７−０４６８１１号公報（たとえば、要約及び図２参照）
【発明の概要】
【発明が解決しようとする課題】
【０００５】
特許文献１に記載の技術は、室外熱交換器の背面を複数の縦桟と横桟とからなる格子状の保護網で保護している。しかし、保護網のピッチが大きいため、保護網から手指などが入ってしまう可能性があるという課題があった。
特許文献１に記載の技術は、保護網を室外機から取り外す際には、ある程度室外機を分解しなければならず、使い勝手が悪いという課題があった。
【０００６】
特許文献２に記載の技術は、保護手段により室外機の強度を確保することができるが、通風窓が設けられるため、通風窓から手指などが入ってしまうという課題があった。
特許文献２に記載の技術は、保護手段のすぐ内側に熱交換器が設置されているため、保護手段を室外機に取り付ける際に、ネジなどで配管を傷つけてしまい、冷媒が漏洩してしまう可能性があるという課題があった。
【０００７】
本発明は、以上のような課題を解決するためになされたもので、利便性を損なうことなく、安全性を向上させることが可能な空気調和装置の室外機及びそれを備えた空気調和装置を提供することを目的としている。
【課題を解決するための手段】
【０００８】
本発明に係る空気調和装置の室外機は、後面側が開放されている本体と、本体の後面側の開放部分から自身の後面側が露出するように本体内に搭載され、水平断面形状が略Ｌ形状の室外熱交換器と、本体の前面外郭を構成する前面部と、室外熱交換器の一部と対向するように設けられ、本体の内外を連通する通風窓が形成された本体の側面外郭を構成する側面部とを有する外郭パネルと、外郭パネルの側面部に対向するように設けられ、側面部の通風窓を覆う網目状の側面保護ネットと、室外熱交換器の後面側に対向するように設けられ、本体の後面側の開放部分を覆う網目状の背面保護ネットと、側面保護ネットの前側端部を保持する第１結束バンドと、側面保護ネットの後側端部と、背面保護ネットのうち側面部側の端部とを保持する第２結束バンドとを有し、第２結束バンドは、一方側が側面保護ネットを通り、他方側が背面保護ネットを通り、一方側と他方側との間が、側面部のうちの後側端部に沿うように設けられているものである。
【発明の効果】
【０００９】
本発明に係る空気調和装置の室外機によれば、側面保護ネット及び背面保護ネットを有しているので、安全性を向上させることができる。
また、本発明に係る空気調和装置の室外機によれば、側面保護ネット及び背面保護ネットを第１結束バンド及び第２結束バンドで保持するため、容易に側面保護ネット及び背面保護ネットを脱着することができ、利便性を向上させることができる。
【図面の簡単な説明】
【００１０】
【図１】本発明の実施の形態１に係る空気調和装置の概要構成例図である。
【図２】本発明の実施の形態１に係る室外機を正面側から見た斜視図である。
【図３】本発明の実施の形態１に係る室外機を背面側から見た斜視図である。
【図４】本発明の実施の形態１に係る室外機の天面パネル、外郭パネル、側面パネル及びファンガードを除いた状態の内部構成図である。
【図５】本発明の実施の形態１に係る室外機の水平断面図である。
【図６】本発明の実施の形態１に係る結束バンドが取り付けられた状態の説明図である。
【図７】空気調和装置の冷媒回路の構成例図である。
【図８】本発明の実施の形態２に係るサイドカバーの説明図である。
【図９】本発明の実施の形態２に係る室外機の背面側と側面側に保護ネットを取り付けた状態の斜視図である。
【図１０】本発明の実施の形態２に係る結束バンドが取り付けられた状態の説明図である。
【発明を実施するための形態】
【００１１】
以下、本発明の実施の形態を図面に基づいて説明する。
実施の形態１．
図１は、実施の形態１に係る空気調和装置２００の概要構成例図である。
空気調和装置２００は、室外熱交換器１のフィンなどにユーザーの手指などが接触してしまうことを防止する改良が加えられたものである。
【００１２】
（構成説明）
空気調和装置２００は、室内機６１と室外機１００とを有し、これらが冷媒配管６３で接続されて構成されている。室内機６１は、冷房運転時に蒸発器として機能し、暖房運転時に凝縮器として機能する室内熱交換器７１（図７参照）などを有している。そして、室外機１００で生成された冷熱あるいは温熱は、冷媒配管６３を介して室内機６１に配送されるようになっている。
室外機１００は、たとえばビルや家屋等の外に配置され、冷媒配管６３を介して室内機６１に冷熱又は温熱を供給するものである。
室内機６１は、たとえば室内などのように空調対象空間に冷房用空気、或いは暖房用空気を供給できる位置に配置され、空調対象空間に冷房用空気あるいは暖房用空気を供給するものである。
【００１３】
図２（ａ）は実施の形態１に係る室外機を正面側から見た斜視図であり、図２（ｂ）は要部拡大図である。図３は、実施の形態１に係る室外機１００を背面側から見た斜視図である。図４は、実施の形態１に係る室外機１００の天面パネル５０、外郭パネル１３、側面パネル１４及びファンガード１８を除いた状態の内部構成図である。
また、図２は室外機１００を前側から見た斜視図であり、図３は室外機１００を後側から見た斜視図である。さらに、図３は、室外機１００から天面パネル５０及び側面保護ネット１６を取り外した状態の斜視図である。
【００１４】
（室外機１００）
室外機１００は、冷房運転時に凝縮器として機能し、暖房運転時に蒸発器として機能する室外熱交換器１などを有しているものである。
室外機１００の本体外郭は、室外機１００の上面を構成する天面パネル５０と、室外機１００の前面、左側面及び構面の一部を構成する外郭パネル１３と、室外機１００の右側面及び後面の一部（図３参照）を構成する側面パネル１４と、外郭パネル１３に設けられ、室外機１００の前面の一部を構成するファンガード１８と、室外機１００の底面を構成するベース１２とによって構成されている。
また、室外機１００の本体には、外郭パネル１３の左側面側を覆うように取り付けられる側面保護ネット１６と、室外機１００の後面側を覆うように取り付けられる背面保護ネット１５と、側面保護ネット１６を室外機１００に固定する結束バンド１９と、側面保護ネット１６及び背面保護ネット１５を室外機１００に固定する結束バンド２０（図６参照）とを有している。
さらに、室外機１００の本体は、図４に示すように、室外機１００内の空間を左側と右側に区画するセパレータ１０と、冷媒を圧縮して吐出する圧縮機６と、室外熱交換器１及び圧縮機６に接続される冷媒配管７と、水平断面形状が略Ｌ字形状の室外熱交換器１と、室外熱交換器１に外気を供給するプロペラファン２と、プロペラファン２を回転させるモータ３と、モータ３を保持するモーターサポート４とを有している。
【００１５】
（天面パネル５０）
天面パネル５０は、室外機１００の上面を構成するものである。天面パネル５０は、前側端部及び左側端部が外郭パネル１３と接触して設けられ、右側端部及び後側端部が側面パネル１４と接触して設けられている。天面パネル５０は、たとえば金属板などを所定の形状に形成して構成される。
【００１６】
（外郭パネル１３）
外郭パネル１３は、室外機１００の前面、左側面及び後面の一部を構成するものである。すなわち、外郭パネル１３は、室外機１００の前面の一部を構成する前面部１３Ａ、室外機１００の左側面を構成する側面部１３Ｂ、及び室外機１００の後面の一部を構成する後面部１３Ｅから構成されている。外郭パネル１３は、下端部がベース１２と接触して設けられ、上端部が天面パネル５０と接触して設けられている。外郭パネル１３は、たとえばＡＢＳ樹脂などで構成される。
【００１７】
前面部１３Ａの右側端部は、側面パネル１４と接触して設けられている。前面部１３Ａには、たとえば略円形の外気吸込口が形成され、当該外気吸込口の形成位置に対向するようにファンガード１８が設けられる。
側面部１３Ｂには、図３に示すように、複数の通風窓１３Ｃが形成されている。これにより、室外熱交換器１の熱交換効率の向上させることができるようになっている。また、側面部１３Ｂには、図２に示すように、自身と略平行に側面保護ネット１６が設けられており、室外熱交換器１が複数の通風窓１３Ｃを介して露出することを防止している。
後面部１３Ｅには、背面保護ネット１５の一端側と近接して設けられている。後面部１３Ｅは端部が曲げられ、安全性の向上が図られている。
【００１８】
（側面パネル１４）
側面パネル１４は、室外機１００の右側面及び後面の一部を構成するものである。この側面パネル１４は、水平断面形状が略Ｌ字であってベース１２に鉛直に立設され、圧縮機６の側方及び後側を覆うように設けられるものである。側面パネル１４は、前側端部が外郭パネル１３と接触して設けられ、上端部が天面パネル５０と接触して設けられ、下端部がベース１２と接触して設けられている。
なお、図３に示すように、側面パネル１４のうち室外機１００の後面の一部を構成する部分は、ネジ１７によって、室外熱交換器１の一方の端部側及び背面保護ネット１５が固定される。側面パネル１４は、たとえばＡＢＳ樹脂などで構成される。
【００１９】
（ファンガード１８）
ファンガード１８は、室外機１００の前面の一部を構成し、たとえばユーザーなどがプロペラファン２でケガをすることを防止するものである。このファンガード１８は、たとえば縦桟と横桟からなる格子状部材である。ファンガード１８は、外郭パネル１３のうち前面構成部分に設けられた外気吸込口の形成位置に対向するように設けられている。
【００２０】
（ベース１２）
ベース１２は、室外機１００の底面を構成するものである。ベース１２の周縁には、鉛直に立設するフランジ５Ａが形成されている。そして、ベース１２は、フランジ５Ａのうちの前外側及び左外側が外郭パネル１３と接触して設けられ、右外側及び後外側が側面パネル１４と接触して設けられている。
ベース１２上には、室外熱交換器１、圧縮機６、セパレータ１０、及び側面保護ネット１６などが設けられている。ベース１２は、外郭パネル１３及び側面パネル１４と、たとえばネジなどによって固定される。ベース１２は、たとえば金属板などを所定の形状に形成して構成される。ベース１２の下面側には、室外機１００を支持する脚部１１が設けられている。
【００２１】
（側面保護ネット１６及び背面保護ネット１５）
側面保護ネット１６は、網状の部材であり、側面部１３Ｂを介して室外熱交換器１が露出することを防止するものである。側面保護ネット１６は、側面部１３Ｂに対して略平行な状態で、側面部１３Ｂに取り付けられる。
側面保護ネット１６は、一方の端部側（前側端部側）に、側面保護ネット１６の形状を維持しながら側面保護ネット１６を室外機１００に取り付けることを可能とする固定部材１６Ｂが設けられている。そして、この固定部材１６Ｂには、結束バンド１９が通される開口部１６Ａが設けられている。すなわち、側面保護ネット１６は、一方の端部側（前側端部側）に設けられた開口部１６Ａに、結束バンド１９が通されることによって固定されている。なお、側面保護ネット１６に固定部材１６Ｂを設けない場合には、側面保護ネット１６は、側面保護ネット１６の前側端部側の網目に、結束バンド１９を通すことで固定すればよい。
側面保護ネット１６は、他方の端部側（後側端部側）の網目に、結束バンド２０（図６参照）が通されることによって固定されている。
【００２２】
背面保護ネット１５は、網状の部材であり、室外熱交換器１のうち室外機１００の背面側から露出する部分が露出することを防止するものである。すなわち、室外機１００の背面側外郭は、側面パネル１４後面の一部を構成する部分を除くと露出している。この露出した部分を、背面保護ネット１５は覆うように設けられる。背面保護ネット１５は、たとえば、略鉛直方向に平行となるように、室外機１００に取り付けられる。
背面保護ネット１５は、一方の端部側（左側端部側）の網目に、結束バンド２０が通されることによって固定されている。背面保護ネット１５は、他方の端部側（右側端部側）が、ネジ１７によって側面パネル１４及び室外熱交換器１とともに固定されている。
また、側面保護ネット１６及び背面保護ネット１５は、その網目の粗さとしては、たとえば８ｍｍ×８ｍｍ程度となるように構成するとよい。さらに、側面保護ネット１６及び背面保護ネット１５の上下サイドについては、天面パネル５０及びベース１２の中に入れ込み、エッジが露出することを防止するとよい。
【００２３】
（結束バンド１９及び結束バンド２０）
結束バンド１９は、側面保護ネット１６を固定するものである。結束バンド１９は、側面保護ネット１６に形成される開口部１６Ａに通されるとともに、ファンガード１８の格子に通されており、帯状となっている。
結束バンド２０（図６参照）は、側面保護ネット１６及び背面保護ネット１５を固定するものである。結束バンド２０は、一方が側面保護ネット１６の他方の端部側の網目に通されるとともに、他方が背面保護ネット１５の一方の端部側の網目に通されており、帯状となっている（図６参照）。
なお、結束バンド１９及び結束バンド２０は、たとえばゴムなどの樹脂で構成するとよい。これにより、確実に背面保護ネット１５及び側面保護ネット１６を室外機１００に取り付けることができる。
【００２４】
（セパレータ１０）
セパレータ１０は、圧縮機６、及び冷媒配管７などが設けられる側である機械室９と、室外熱交換器１、プロペラファン２、モータ３、及びモーターサポート４などが設けられる側である送風機室５とを区画するものである。セパレータ１０は、その下端部がベース１２に接触して設けられている。また、セパレータ１０の後側端部は、室外熱交換器１の一方の端部側に固定されている。セパレータ１０は、その水平断面形状が、室外機１００の前面から後面に向かう方向における中央部あたりで、曲げ形成されている。
【００２５】
（圧縮機６及び冷媒配管７）
圧縮機６は、冷媒を吸入し、その冷媒を圧縮して高温・高圧の状態にして吐出するものである。圧縮機６は、冷媒配管７を介して室外熱交換器１に接続されている。なお、圧縮機６の上部には、各種機器への電力供給などをする電気品箱８が設けられている。
冷媒配管７は、冷房運転時において、一方が圧縮機６に接続され、他方が四方弁を介して室外熱交換器１に接続される冷媒配管である。また、冷媒配管７は、暖房運転時において、一方が圧縮機６に接続され、他方が四方弁を介して室内熱交換器７１（図７参照）に接続される冷媒配管である。
【００２６】
（室外熱交換器１）
室外熱交換器１は、プロペラファン２によって室外機１００に取り込まれる空気と冷媒との間で熱交換を行わせ、冷房運転時に冷媒を凝縮液化させ、暖房運転時に冷媒を蒸発ガス化させるものである。室外熱交換器１は、ベース１２上であって、ベース１２の右側端部及び後側端部に沿うように設けられている。室外熱交換器１の上部には、モーターサポート４が掛けられるようにして設けられている。
なお、室外熱交換器１は、たとえば冷媒配管を流れる冷媒とフィンを通過する空気との間で熱交換ができるようなフィンアンドチューブ熱交換器で構成される。
室外熱交換器１は、側面部１３Ｂと対向するように設けられる側面側平面部１ａと、側面側平面部１ａに連続的に接続され、前側から後側に向かって右側に曲げられているラウンド部１ｂと、ラウンド部１ｂに連続的に接続され、室外機１００の前面部１３Ａと略平行に設けられる背面側平面部１ｃとを有している。
【００２７】
（プロペラファン２、モータ３及びモーターサポート４）
プロペラファン２は、室外熱交換器１に外気を供給するためのものである。プロペラファン２は、自身を回転させるためのモータ３に接続されて設けられている。
モータ３は、プロペラファン２を回転させるものである。モータ３は、モーターサポート４によって支持されて、室外熱交換器１の前面側に設けられている。このモータ３は、たとえば、永久磁石などを有するローター、巻線などを有するステーター及びプロペラファン２に接続されるシャフトなどによって構成される。
モーターサポート４は、モータ３を保持するものである。モーターサポート４は、その上部が室外熱交換器１の上部に掛けられるようにして固定され、その下部がベース１２上に固定されて設けられている。
【００２８】
プロペラファン２が動作することにより、室外熱交換器１の側面側平面部１ａ、ラウンド部１ｂ、及び背面側平面部１ｃを通過して室外機１００内に空気が流入し、その空気がプロペラファン２を通過し室外機の前方に流出する。これにより、たとえば、冷房運転中においては、室外熱交換器１内の冷媒は空気によって冷却され、室外熱交換器１を通過した空気は冷媒と熱交換することで加熱される。
【００２９】
図５は、実施の形態１に係る室外機１００の水平断面図である。図６は、実施の形態１に係る結束バンド２０が取り付けられた状態の説明図である。なお、図６は、図５の点線Ａの拡大図である。図５及び図６を参照して、結束バンド２０によって側面保護ネット１６及び背面保護ネット１５を容易に取り付けることができることについて説明する。
室外機１００は、側面部１３Ｂ側を覆う側面保護ネット１６と、室外熱交換器１の背面側平面部１ｃの後面側を覆う背面保護ネット１５とが結束バンド２０によって固定されて設けられているものである。
ここで、この結束バンド２０が、側面保護ネット１６の網目に通される位置を位置Ｔ１とし、背面保護ネット１５の網目に通される位置を位置Ｔ２と呼ぶとする。すると、結束バンド２０は、位置Ｔ１を抜け、側面部１３Ｂの外側及び後面部１３Ｅに延出し、背面保護ネット１５の位置Ｔ２に至る。そして、結束バンド２０は、位置Ｔ２を抜け、後面部１３Ｅ及び側面部１３Ｂの内側に延出し、始点である位置Ｔ１に至る。
ここで、図６に示すように、室外機１００では、外側空間２２が確保されているため、側面部１３Ｂの内側に沿うように延出しても、室外熱交換器１と干渉することがない。なお、外側空間２２とは、図６に示すように、外側空間２２を水平断面視した際において、ラウンド部１ｂと、側面部１３Ｂ及び後面部１３Ｅとの間に形成される空間を指す。
そして、ユーザーや室外機１００のサービスマンなどは、側面保護ネット１６及び背面保護ネット１５の網目に結束バンド２０を通すことで、側面保護ネット１６及び背面保護ネット１５を室外機１００に取り付けることができる。また、取りはずす際にも、この結束バンド２０を解く作業だけでよいので、容易に着脱することができる。
【００３０】
（空気調和装置２００の冷凍サイクルの動作）
図７は、空気調和装置２００の冷媒回路の構成例図である。図７を参照しながら、同図で示される冷媒回路の冷凍サイクル動作について説明する。図７において、冷房運転時及び除湿運転時には、冷媒回路内の冷媒は実線で示す矢印の方向に流れ、一方、暖房運転時には、冷媒回路内の冷媒は破線で示す矢印の方向に流れる。なお、室内機６１内には室内熱交換器７１が搭載されており、室外機１００には流路を切り替える四方弁７２及び冷媒を膨張させる膨張弁７０が搭載されている場合を例に説明する。
空気調和装置２００は、圧縮機６、室外熱交換器１、膨張弁７０及び室内熱交換器７１が、「冷媒配管」を介して接続されて冷凍サイクルを構成している。なお、「冷媒配管」とは、上述した冷媒配管６３、冷媒配管７などに対応する配管である。
【００３１】
室内熱交換器７１は、ファン（図示省略）によって室内機６１に取り込まれる室内空気と冷媒との間で熱交換を行わせ、暖房運転時に冷媒を凝縮液化させ、冷房運転時に冷媒を蒸発ガス化させるものである。
四方弁７２は、暖房運転時における冷媒の流れと冷房運転時における冷媒の流れを切り替えるものである。この四方弁７２は、暖房運転時において、圧縮機６の吐出側と室内熱交換器７１を接続するとともに、圧縮機６の吸引側と室外熱交換器１を接続する。また、冷房運転時において、圧縮機６の吐出側と室外熱交換器１を接続するとともに、圧縮機６の吸引側と室内熱交換器７１を接続する。
膨張弁７０は、冷媒回路を流通する冷媒を減圧して膨張させるものである。膨張弁７０は、一方が室外熱交換器１に接続され、他方が室内熱交換器７１に接続されている。この膨張弁７０は、開度が可変に制御可能なもの、たとえば電子式膨張弁などで構成するとよい。
【００３２】
まず、冷房運転について説明する。冷房運転開始時に、冷媒回路内の冷媒が図７の実線で示す方向に流れるように、四方弁７２の接続が切り替えられる。圧縮機６によって圧縮され吐出された気体冷媒は、四方弁７２を経由して、室外熱交換器１へ流入する。この室外熱交換器１に流入した気体冷媒は、ファンから供給される外気と熱交換を実施して凝縮し、室外熱交換器１から流出する。この室外熱交換器１から流出した冷媒は、膨張弁７０に流入し、この膨張弁７０によって膨張され減圧される。減圧された冷媒は、室内熱交換器７１に流入し、ファンから供給される室内空気と熱交換が実施されて気化し、室内熱交換器７１から流出する。この室内熱交換器７１から流出した気体冷媒は、四方弁７２を介して圧縮機６に吸引される。
【００３３】
次に、暖房運転について説明する。暖房運転開始時に、冷媒回路内の冷媒が図７に示す破線で示す方向に流れるように、四方弁７２の接続が切り替えられる。圧縮機６によって圧縮され吐出された気体冷媒は、四方弁７２を経由して、室内熱交換器７１に流入する。この室内熱交換器７１に流入した気体冷媒は、ファンから供給される室内空気と熱交換を実施して凝縮し、室内熱交換器７１から流出する。この室内熱交換器７１から流出した冷媒は、膨張弁７０に流入し、この膨張弁７０によって膨張され減圧される。減圧された冷媒は、室外熱交換器１に流入し、ファンから供給される室外空気と熱交換が実施されて気化し、室外熱交換器１から流出する。この室外熱交換器１から流出した気体冷媒は、四方弁７２を介して圧縮機６に吸引される。
【００３４】
（本実施の形態１に係る空気調和装置の室外機１００の有する効果）
本実施の形態１に係る空気調和装置の室外機１００は、側面保護ネット１６及び背面保護ネット１５を有しているため、室外熱交換器１のフィンなどによってユーザーがケガをすることを防止することができる。
【００３５】
本実施の形態１に係る空気調和装置の室外機１００は、結束バンド１９及び結束バンド２０を有しているため、容易に側面保護ネット１６及び背面保護ネット１５を後付けすることができ、利便性が向上している。また、結束バンド１９及び結束バンド２０による拘束を解くことで、側面保護ネット１６及び背面保護ネット１５を取り外すことができ、取り外す際においての作業が容易であり、利便性が向上している。
【００３６】
実施の形態２．
図８は、実施の形態２に係るサイドカバー２４の説明図である。図９は、実施の形態２に係る室外機１００の背面側と側面側に保護ネット１５、１６を取り付けた状態の斜視図である。図１０は、実施の形態２に係る結束バンド２０が取り付けられた状態の説明図である。なお、図８（ａ）はサイドカバー２４の斜視図であり、図８（ｂ）が結束バンド２０を通している状態におけるサイドカバー２４の水平断面図である。また、図９（ａ）は実施の形態２に係る室外機１００を正面側から見た斜視図であり、図９（ｂ）及び図９（ｃ）は要部拡大図である。
また、この実施の形態２では上述した実施の形態１との相違点を中心に説明するものとし、実施の形態１と同一部分には、同一符号を付している。
【００３７】
側面保護ネット１６及び背面保護ネット１５は、保護ネットを切断して適宜大きさをあわせただけの部材を用いる場合がある。このため、側面保護ネット１６及び背面保護ネット１５の両サイドは、切断面がエッジとなり、ユーザーを傷付けてしまう可能性がある。そこで、本実施の形態２では、側面保護ネット１６及び背面保護ネット１５の両方サイドにサイドカバー２４を取り付けてエッジが露出してしまうことを防止している。以下の説明において、側面保護ネット１６に設けられるサイドカバーをサイドカバー２４Ａと称し、背面保護ネット１５に設けられるサイドカバーをサイドカバー２４Ｂと称する。
【００３８】
側面保護ネット１６は、前側及び後側の端部側にサイドカバー２４Ａが設けられている。すなわち、サイドカバー２４Ａは、側面保護ネット１６の両方の端部側にそれぞれ設けられており、エッジが露出してしまうことを防止することができるようになっている。
このサイドカバー２４Ａには、サイドカバー２４Ａを側面部１３Ｂに固定するためのネジ２３が貫通する開口部２４ａが形成されている。すなわち、側面保護ネット１６は、他方の端部側（後側端部側）が、結束バンド２０に加えて、ネジ２３によって固定されている。
なお、側面保護ネット１６の一方の端部側（前側端部側）のサイドカバー２４Ａには、実施の形態１で説明した固定部材１６Ｂのように、開口部が形成されており、結束バンド１９を介してファンガード１８に固定されている。なお、側面保護ネット１６の一方の端部側のサイドカバー２４Ａは、ネットのエッジが露出してしまうことを防止するように、側面保護ネット１６に取り付けられている点で、固定部材１６Ｂと異なっている。
【００３９】
背面保護ネット１５は、後側端部側にサイドカバー２４Ｂが設けられている。サイドカバー２４Ｂは、背面保護ネット１５の両方の端部側にそれぞれ設けられており、エッジが露出してしまうことを防止することができるようになっている。
このサイドカバー２４Ｂには、サイドカバー２４Ｂを後面部１３Ｅに固定するためのネジ２１が貫通する開口部２４ａが形成されている。すなわち、背面保護ネット１５は、他方の端部側（後側端部側）が、結束バンド２０に加えて、ネジ２３によって固定されている。
【００４０】
なお、側面保護ネット１６は結束バンド１９、ネジ２３及び結束バンド２０によって固定され、背面保護ネット１５は結束バンド２０、ネジ２１及びネジ１７によって固定される場合を例に説明したがそれに限定されるものではない。たとえば、結束バンド２０を設けず、ネジ２３及びネジ２１のみによって側面保護ネット１６の後側端部及び背面保護ネット１５の左側端部を固定してもよい。
【００４１】
次に、図９及び図１０を参照して、ネジ２１及びネジ２３によって室外熱交換器１の配管を傷付けることを防止することについて説明する。
室外機１００は、ネジ２１及びネジ２３によって、側面保護ネット１６及び背面保護ネット１５を取り付ける際に、Ｌ字状の室外熱交換器１のラウンド部１ｂの外側空間２２を利用することで、室外熱交換器１の配管を傷つけることを防止している。
すなわち、ネジ２１及びネジ２３は、外郭パネル１３を貫通した状態で、側面保護ネット１６及び背面保護ネット１５を固定しているが、外側空間２２が確保されているため、ネジ２１の先端及びネジ２３の先端が室外熱交換器１に至ることが防止され、室外熱交換器１の配管を傷つけることがない。
【００４２】
（本実施の形態２に係る空気調和装置の室外機１００の有する効果）
本実施の形態２に係る空気調和装置の室外機１００は、本実施の形態１に係る空気調和装置の室外機１００の奏する効果に加えて以下の効果を奏する。すなわち、本実施の形態２に係る室外機１００は、側面部１３Ｂ及び後面部１３Ｅと、室外熱交換器１との間に外側空間２２が形成されているため、ネジ２１及びネジ２３によって側面保護ネット１６及び背面保護ネット１５を固定しても、室外熱交換器１の配管などを傷つけてしまい、冷媒が漏洩してしまうことを防止することができる。
【符号の説明】
【００４３】
１  室外熱交換器、１ａ  側面側平面部、１ｂ  ラウンド部、１ｃ  背面側平面部、２  プロペラファン、３  モータ、４  モーターサポート、５  送風機室、５Ａ  フランジ、６  圧縮機、７  冷媒配管、８  電気品箱、９  機械室、１０  セパレータ、１１  脚部、１２  ベース、１３  外郭パネル、１３Ａ  前面部、１３Ｂ  側面部、１３Ｃ  通風窓、１３Ｅ  後面部、１４  側面パネル、１５  背面保護ネット、１６  側面保護ネット、１６Ａ  開口部、１６Ｂ  固定部材、１７  ネジ、１８  ファンガード、１９  結束バンド（第１結束バンド）、２０  結束バンド（第２結束バンド）、２１  ネジ（第２固定手段）、２２  外側空間、２３  ネジ（第１固定手段）、２４  サイドカバー、２４ａ  開口部、５０  天面パネル、６１  室内機、６３  冷媒配管、７０  膨張弁、７１  室内熱交換器、７２  四方弁、１００  室外機、２００  空気調和装置。
【図１】
0005843685.tif 000002
【図２】
0005843685.tif 000003
【図３】
0005843685.tif 000004
【図４】
0005843685.tif 000005
【図５】
0005843685.tif 000006
【図６】
0005843685.tif 000007
【図７】
0005843685.tif 000008
【図８】
0005843685.tif 000009
【図９】
0005843685.tif 000010
【図１０】
0005843685.tif 000011